Podtech/llm-jp-corpus-v4-ja_patent huggingface dataset:
【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
論理的に構成されるネットワーク間を接続する中継装置であって、
マルチキャストパケットを受信したポートに関する受信ポート情報と、前記マルチキャストパケットの受信元の第１のネットワークに関する受信元ネットワーク情報とを有する受信情報と、前記受信情報に対応させて設けられ、前記マルチキャストパケットを送信したポートに関する送信ポート情報と、前記マルチキャストパケットの送信先の第２のネットワークに関する送信先ネットワーク情報とを有する送信情報とをもとに、論理的に構成されるネットワーク間にてマルチキャストパケットの中継を行う中継手段を有することを特徴とするネットワーク中継装置。
【請求項２】
請求項１に記載のネットワーク中継装置において、
マルチキャストパケットを中継するに際し、前記受信情報および前記送信情報を作成する学習処理部とを有することを特徴とするネットワーク中継装置。
【請求項３】
請求項１に記載のネットワーク中継装置において、
前記受信情報として登録済みのマルチキャストパケットに関する宛先アドレスおよび送信元アドレスと、前記受信情報として登録済みのマルチキャストパケットが、前記受信情報に登録済みであるか否かを識別させるパケット識別情報とを有することを特徴とするネットワーク中継装置。
【請求項４】
複数の論理的な情報ネットワークにおける情報の中継動作を行う情報中継装置であって、
所定のマルチキャスト中継処理における中継先が登録されるマルチキャスト中継先登録用テーブルと、
前記マルチキャスト中継先登録用テーブルを参照し、物理的には同一であるが論理的に異なるネットワークから同一の宛先へのデータを中継する場合、前記中継先に対して、前記同一の宛先であり、かつ同一内容のデータを１度のみ中継するマルチキャスト中継手段とを有することを特徴とする情報中継装置。
【請求項５】
請求項４に記載の情報中継装置において、
前記マルチキャスト中継先登録用テーブルは、一つ以上の前記物理的には同一であるが論理的に異なるネットワークから、マルチキャストパケットを受信した場合、前記一つ以上の物理的には同一であるが論理的に異なるネットワークのうちの一つのネットワークを代表として登録するものであることを特徴とする情報中継装置。
【請求項６】
請求項５に記載の情報中継装置において、
前記マルチキャスト中継手段は、前記代表登録されたネットワークからマルチキャストパケットを受信した際に、前記マルチキャスト中継先登録用テーブルに登録されている送信先の全てに対し、前記マルチキャストパケットを中継するものであることを特徴とする情報中継装置。
【請求項７】
論理的に構成されるネットワーク間を接続する中継装置であって、
マルチキャストパケットの中継に際し、自装置がマルチキャストパケットを送信するべき全ての送信先の送信先情報が登録される学習テーブルと、
前記ネットワークのうちの１のネットワークより受信したマルチキャストパケットの宛先アドレスおよび送信元アドレスと、前記学習テーブルに既に学習された前記情報とを比較し、前記学習テーブルに登録された送信先の全てに対して、前記マルチキャストパケットを中継する学習処理部とを有することを特徴とする中継装置。
【請求項８】
パケット中継システムにおいて
複数の端末と、前記複数の端末を論理的に組み合わせて構成される複数のネットワークと、前記複数のネットワーク間を接続させ、マルチキャストパケットの中継に際し、自中継装置がマルチキャストパケットを送信するべき全ての送信先の送信先情報が登録される学習テーブルと、前記複数のネットワークのうちの１のネットワークより受信したマルチキャストパケットの宛先アドレスおよび送信元アドレスと、前記学習テーブルに既に学習された前記情報とを比較し、前記学習テーブルに登録された送信先の全てに対して、前記マルチキャストパケットを中継する学習処理部とを有する中継装置とを有することを特徴とするパケット中継システム。
【手続補正書】
【提出日】平成17年10月4日(2005.10.4)
【手続補正１】
【補正対象書類名】明細書
【補正対象項目名】発明の名称
【補正方法】変更
【補正の内容】
【発明の名称】復号装置、受信装置および復号方法
【手続補正２】
【補正対象書類名】明細書
【補正対象項目名】特許請求の範囲
【補正方法】変更
【補正の内容】
【特許請求の範囲】
【請求項１】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記同期信号パケットに基づいて、同期を確立する同期手段と、
該同期手段において同期が確立されるまでの間、前記制御情報パケットを蓄積し、前記同期が確立された後に前記蓄積した制御情報パケットを出力する制御情報蓄積手段と、
該制御情報蓄積手段から出力された前記制御情報パケットを復号する制御情報復号手段とを備える復号装置。
【請求項２】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された第１のフレームを複数含んで構成されるスーパーフレームに対応する入力信号に基づいて、前記制御情報を復号する復号装置であって、
前記同期信号パケットに基づいて、同期を確立する同期手段と、
該同期手段において前記第１のフレームに対応する同期が確立された後に前記制御情報パケットを蓄積する制御情報蓄積手段と、
前記同期手段において前記スーパーフレームに対応する同期が確立された後に前記制御情報蓄積手段に蓄積された制御情報パケットを復号する制御情報復号手段とを備える復号装置。
【請求項３】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記制御情報パケットを蓄積する制御情報蓄積手段と、
該制御情報蓄積手段に蓄積された前記制御情報パケットを復号して、復号処理の成否を検出する制御情報復号手段とを備え、
前記制御情報蓄積手段は、前記制御情報復号手段において前記復号処理が成功しなかった旨が検出された場合、入力された最新の前記制御情報パケットが、当該制御情報蓄積手段に蓄積された制御情報パケットにおいて先頭のパケットとなるように前記制御情報パケットを蓄積することを特徴とする復号装置。
【請求項４】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号装置であって、
前記制御情報パケットを蓄積する制御情報蓄積手段と、
該制御情報蓄積手段に蓄積された前記制御情報パケットを復号して、復号処理の成否を検出する制御情報復号手段とを備え、
前記制御情報蓄積手段は、前記制御情報復号手段において前記復号処理が成功しなかった旨が検出された場合、最新の前記制御情報パケットを、当該制御情報蓄積手段に蓄積された制御情報パケットにおける先頭位置から後方へと順次シフトし、
前記制御情報復号手段は、前記シフトの度に前記復号および前記検出を行なうように構成されてなる復号装置。
【請求項５】  前記制御情報復号手段において、前記復号処理が成功した旨が検出された場合に、前記同期信号パケットに基づいて、同期を確立する同期手段を更に備える請求項３または４に記載の復号装置。
【請求項６】  前記制御情報蓄積手段は、
前記制御情報を構成する前記制御情報パケット全てを格納可能なメモリを、前記制御情報を構成する前記制御情報パケットの全数個分有し、
入力された前記制御情報パケットの書き込みを、前記メモリ毎に異なるアドレスポインタで行なうことによって、前記制御情報に対応する複数種類のパケット列を組み立て可能に構成されてなる請求項１ないし５のいずれかに記載の復号装置。
【請求項７】  前記制御情報蓄積手段は、
前記制御情報を構成する前記制御情報パケット全てを格納可能なメモリを有し、
当該制御情報蓄積手段に蓄積された前記制御情報パケットの読み出し時におけるアドレスポインタを変更することによって、前記制御情報に対応する複数種類のパケット列を組み立て可能に構成されてなる請求項１ないし５のいずれかに記載の復号装置。
【請求項８】  請求項１ないし７のいずれかに記載の復号装置を備える受信装置。
【請求項９】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号方法であって、
前記制御情報パケットを蓄積する制御情報蓄積ステップと、
該制御情報蓄積ステップに蓄積された前記制御情報パケットを復号して、復号処理の成否を検出する制御情報復号ステップとを含み、
前記制御情報蓄積ステップにおいて、前記制御情報復号ステップにおいて前記復号処理が成功しなかった旨が検出された場合、入力された最新の前記制御情報パケットが、当該制御情報蓄積ステップにおいて蓄積された制御情報パケットにおいて先頭のパケットとなるように前記制御情報パケットを蓄積することを特徴とする復号方法。
【請求項１０】  映像データもしくは音声データに対応する情報パケット、当該情報パケットの制御情報に対応する制御情報パケット、および、前記情報パケットもしくは前記制御情報パケットの復号を行なう際に同期を確立するための同期信号パケットが時分割多重された入力信号に基づいて、前記制御情報を復号する復号方法であって、
前記制御情報パケットを蓄積手段に蓄積する制御情報蓄積ステップと、
前記蓄積手段に蓄積された前記制御情報パケットを復号して、復号処理の成否を検出する制御情報復号ステップとを含み、
前記制御情報蓄積ステップにおいて、前記制御情報復号ステップにおいて前記復号処理が成功しなかった旨が検出された場合、最新の前記制御情報パケットを、前記蓄積手段に蓄積された制御情報パケットにおける先頭位置から後方へと順次シフトし、
前記制御情報復号ステップにおいて、前記シフトの度に前記復号および前記検出を行なうことを特徴とする復号方法。
【請求項１１】  前記制御情報復号ステップにおいて、前記復号処理が成功した旨が検出された場合に、前記同期信号パケットに基づいて、同期を確立する同期ステップを更に含む請求項９または１０に記載の復号方法。
【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
走査動作の間にページを支持するための透明な表面と、該表面上の領域が前記ページによって覆われているか否かを検出する装置とを含むスキャナであって、
所定範囲内の波長を有する光を反射するように構成された標識と、
前記標識と光学的に連絡するときに該標識を検出する光学センサと、
前記所定範囲外の波長を有する光をフィルタリングする少なくとも１つの光学フィルタと、を備え、
前記標識、センサおよびフィルタは、前記ページによる前記領域の覆いが取られた場合に、前記センサから前記領域および前記フィルタを通り抜けて前記標識にいたる光路が存在し、それによって前記センサを前記標識と光学的に連絡するように配置され、
前記センサは、該センサが前記標識の検出に失敗した場合に、前記領域が前記ページによって覆われていることを示す信号を発生するように動作し、
さらに、前記センサは、前記ページを走査するために使用される、ことを特徴とするスキャナ。
【請求項２】
走査動作の間にページを支持するための透明な表面と、該表面上の領域が前記ページによって覆われているか否かを検出する装置とを含むスキャナであって、
所定範囲内の波長を有する光を反射するように構成された標識と、
前記標識と光学的に連絡するときに該標識を検出する光学センサと、
前記所定範囲外の波長を有する光をフィルタリングする少なくとも１つの光学フィルタと、を備え、
前記標識、センサおよびフィルタは、前記ページによる前記領域の覆いが取られた場合に、前記センサから前記領域および前記フィルタを通り抜けて前記標識にいたる光路が存在し、それによって前記センサを前記標識と光学的に連絡するように配置され、
前記フィルタは、青色領域外の波長の光をフィルタリングし、
前記標識は、前記青色領域中の光を反射する、ことを特徴とするスキャナ。
【請求項３】
走査される第１のページがその上に配置される第１の領域を有する光学的に透明な表面を備えるスキャナにおいて、前記第１のページが前記透明な表面上に存在するか否かを決定するための方法であって、
（ａ）前記透明な表面上の、少なくとも部分的に前記第１の領域内にある第２の領域の上方に、実質的に青色領域の波長を有する光を反射するように構成された標識を設けるステップと、
（ｂ）前記第２の領域を通して走査するステップと、
（ｃ）ステップ（ｂ）の実行中に前記実質的に青色領域の波長を有する光が検出されるか否かを決定するステップと、
（ｄ）ページが前記透明な表面上に存在することを決定するステップと、
を含むことを特徴とする方法。
【請求項４】
前記ステップ（ｄ）は、前記第１のページが前記透明な表面上に存在することをユーザに通知するサブステップをさらに含むことを特徴とする請求項３に記載の方法。
【請求項５】
前記方法は、前記透明な表面上のＡＤＦ走査領域が前記ページによって覆われているか否かを決定するために、ＡＤＦ走査の実行前に前記スキャナによって実施されることを特徴とする請求項３に記載の方法。
【請求項６】
走査される第１のページがその上に配置される第１の領域を有する光学的に透明な表面を備えるスキャナにおいて、前記第１のページが前記透明な表面上に存在するか否かを決定するための方法であって、
（ａ）前記透明な表面上の、少なくとも部分的に前記第１の領域内にある第２の領域の上方に、実質的に赤外領域の波長を有する光を反射するように構成された標識を設けるステップと、
（ｂ）前記第２の領域を通して走査するステップと、
（ｃ）ステップ（ｂ）の実行中に前記実質的に赤外領域の波長を有する光が検出されるか否かを決定するステップと、
（ｄ）ページが前記透明な表面上に存在することをユーザに通知するステップと、
を含むことを特徴とする方法。
【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
包装材に収納された生ごみを車両走行中に生ごみと包装材とに分別する生ごみリサイクル車であって、生ごみを車両上部に搬送する生ごみ搬送装置と、搬送された生ごみの包装材を破砕する包装材破砕装置と、生ごみと包装材を分別する包装材分別装置とを備え、前記包装材分別装置は、分別ハウジングと、分別ハウジングの下部に形成された篩い部と、分別ハウジングの内側に突設された螺旋状のリブと、分別ハウジング内で回転する撹拌プレートとを備えたことを特徴とする生ごみリサイクル車。
【請求項２】
前記攪拌プレートは前記車両の前後方向に配向した回転軸周りで回転することを特徴とする請求項１記載の生ごみリサイクル車。
【請求項３】
前記包装材分別装置により分別された包装材を圧縮する包装材圧縮装置を備えたことを特徴とする請求項１又は２記載の生ごみリサイクル車。
【請求項４】
前記包装材圧縮装置は車両の前後方向に動作する圧縮プレートにより分別された包装材を圧縮することを特徴とする請求項３記載の生ごみリサイクル車。
【請求項５】
前記包装材分別装置により分別ハウジングから分別された包装材を圧縮ハウジングで圧縮する包装材圧縮装置と、前記篩い部で分別された生ごみを保持するハウジングとを備え、前記分別ハウジングの下において前記圧縮ハウジングと前記保持するハウジングとが前記車両の横方向に並べられていることを特徴とする請求項１〜４のいずれかに記載の生ごみリサイクル車。
【請求項６】
前記包装材破砕装置は、突起片を有する撹拌羽根を備え、前記突起片により包装材を破砕することを特徴とする請求項１〜５のいずれかに記載の生ごみリサイクル車。
【請求項７】
前記包装材分別装置は、前記撹拌プレートの先端が前記リブに当接するようにしたことを特徴とする請求項１〜６のいずれかに記載の生ごみリサイクル車。
【請求項８】
前記包装材分別装置は、分別された生ごみを微生物により分解処理する生ごみ分解装置を設けたことを特徴とする請求項１〜７のいずれかに記載の生ごみリサイクル車。
【手続補正２】
【補正対象書類名】明細書
【補正対象項目名】０００５
【補正方法】変更
【補正の内容】
【０００５】
本発明は、上記従来の問題を解決するものであって、車両走行中に生ごみと包装材とを分別することにより、生ごみを再資源化することができる生ごみリサイクル車を提供することを目的とする。
【手続補正３】
【補正対象書類名】明細書
【補正対象項目名】０００６
【補正方法】変更
【補正の内容】
【０００６】
【課題を解決するための手段】
そのために本発明における生ごみリサイクル車は、包装材に収納された生ごみを車両走行中に生ごみと包装材とに分別する生ごみリサイクル車であって、生ごみを車両上部に搬送する生ごみ搬送装置と、搬送された生ごみの包装材を破砕する包装材破砕装置と、生ごみと包装材を分別する包装材分別装置とを備え、前記包装材分別装置は、分別ハウジングと、分別ハウジングの下部に形成された篩い部と、分別ハウジングの内側に突設された螺旋状のリブと、分別ハウジング内で回転する撹拌プレートとを備えたことを特徴とする。上記特徴において、前記攪拌プレートは前記車両の前後方向に配向した回転軸周りで回転することが望ましい。また、前記包装材分別装置により分別された包装材を圧縮する包装材圧縮装置を備えることが望ましい。同特徴において、前記包装材圧縮装置は車両の前後方向に動作する圧縮プレートにより分別された包装材を圧縮することが望ましい。また、前記包装材分別装置により分別ハウジングから分別された包装材を圧縮ハウジングで圧縮する包装材圧縮装置と、前記篩い部で分別された生ごみを保持するハウジングとを備え、前記分別ハウジングの下において前記圧縮ハウジングと前記保持するハウジングとが前記車両の横方向に並べられていることが望ましい。前記包装材破砕装置は、突起片を有する撹拌羽根を備え、前記突起片により包装材を破砕するものとできる。さらに、前記包装材分別装置は、前記撹拌プレートの先端が前記リブに当接することが望ましい。前記包装材分別装置は、分別された生ごみを微生物により分解処理する生ごみ分解装置を備えてもよい。
【手続補正４】
【補正対象書類名】明細書
【補正対象項目名】００１８
【補正方法】変更
【補正の内容】
【００１８】
【発明の効果】
以上の説明から明らかなように本発明によれば、生ごみと包装材を分別し、生ごみを車両走行中に短時間で再資源化することができる。また、生ごみを最適条件で発酵分解処理することもできる。
【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
印刷版の一端部を支持して、定盤上を搬送する印刷版搬送装置であって、
前記印刷版の一端部を吸着して保持する吸着手段と、
前記印刷版の一端部を吸着した吸着手段を所定の方向へ移動させることにより該印刷版を移動させる駆動手段と、
前記吸着手段と一体的に設けられ、前記吸着手段によって吸着された印刷版の下面側へ向けてエアを噴出して供給するエア供給手段と、
を含むことを特徴とする印刷版搬送装置。
【請求項２】
前記駆動手段の搬送に合わせて前記エア供給手段を作動させる搬送制御手段を、含むことを特徴とする請求項１に記載の印刷版搬送装置。
【請求項３】
印刷版の一端側を吸着保持して定盤上を搬送する搬送手段と、画像焼付け時に前記印刷版ないし前記原稿フィルムを前記焼付定盤上に吸着保持する吸着保持手段と、を備え、前記搬送手段によって搬送される印刷版を前記定盤上に載置して原稿フィルムに記録された画像を密着露光によって焼付ける版材焼付装置であって、
前記印刷版と前記定盤の間へエアを供給可能とするエア供給手段と、
前記搬送手段によって前記印刷版が前記定盤上を移動されるときに前記エア供給手段を作動させる搬送補助手段と、
を含むことを特徴とする版材焼付装置。
【請求項４】
前記定盤上に形成された噴出し孔に供給するエアを噴出し孔から定盤の上方へ噴き出すことにより、前記印刷版と定盤との間ないし前記原稿フィルムと定盤との間の前記吸着保持手段による密着を解除する噴出し手段を備えているときに、該噴出し手段を前記エア供給手段として用いることを特徴とする請求項３に記載の版材焼付け装置。
【請求項５】
前記エア供給手段として、前記搬送手段にエアノズルが設けられていることを特徴とする請求項３又は請求項４に記載の版材焼付装置。
【手続補正２】
【補正対象書類名】明細書
【補正対象項目名】００１０
【補正方法】変更
【補正の内容】
【００１０】
これにより、印刷版が定盤上を移動するときには、定盤と印刷版との間に空気層が生じ、印刷版が定盤に貼り付くのを防止することができる。また、印刷版と定盤との間に空気層が形成されることにより、印刷版が定盤上を滑らかに移動することができる。
このような本発明においては、前記駆動手段の搬送に合わせて前記エア供給手段を作動させる搬送制御手段を、含むことができる。
【手続補正３】
【補正対象書類名】明細書
【補正対象項目名】００１１
【補正方法】変更
【補正の内容】
【００１１】
本発明の版材焼付装置は、印刷版の一端側を吸着保持して定盤上を搬送する搬送手段と、画像焼付け時に前記印刷版ないし前記原稿フィルムを前記焼付定盤上に吸着保持する吸着保持手段と、を備え、前記搬送手段によって搬送される印刷版を前記定盤上に載置して原稿フィルムに記録された画像を密着露光によって焼付ける版材焼付装置であって、前記印刷版と前記定盤の間へエアを供給可能とするエア供給手段と、前記搬送手段によって前記印刷版が前記定盤上を移動されるときに前記エア供給手段を作動させる搬送補助手段と、を含むことを特徴とする。
【手続補正４】
【補正対象書類名】明細書
【補正対象項目名】００１２
【補正方法】変更
【補正の内容】
【００１２】
この発明によれば、印刷版及び原稿フィルムを定盤に密着させ、密着露光によって画像焼付けを行う。印刷版を、このような定盤上を搬送するときには、エア供給手段によってエアを供給して、印刷版が定盤に密着するのを防止する。これにより、印刷版を滑らかに搬送することができる。
【手続補正５】
【補正対象書類名】明細書
【補正対象項目名】００１３
【補正方法】変更
【補正の内容】
【００１３】
また、本発明の版材焼付装置は、前記定盤上に形成された噴出し孔に供給するエアを噴出し孔から定盤の上方へ噴き出すことにより、前記印刷版と定盤との間ないし前記原稿フィルムと定盤との間の前記吸着保持手段による密着を解除する噴出し手段を備えているときに、該噴出し手段を前記エア供給手段として用いることを特徴とする。
この発明によれば、密着露光によって画像焼付けを行った後に、印刷版ないし原稿フィルムを定盤上から取り出すときに、噴出し孔から噴き出すエアによって印刷版ないし原稿フィルムと定盤との密着状態を解除する噴出し手段を用い、搬送手段によって印刷版が片持ち状態で搬送されるときには、搬送補助手段が、噴出し孔へエアを供給する。
【手続補正６】
【補正対象書類名】明細書
【補正対象項目名】００１５
【補正方法】変更
【補正の内容】
【００１５】
噴出し孔に供給されたエアは、噴出し孔から定盤上へ噴出され、このときに定盤上を印刷版が移動すると、このエアが印刷版の下面側へ向けて噴き出されることになり、印刷版と焼付定盤との間に空気層が生じ、印刷版を定盤に貼り付かせることなく、滑らに移動させることができる。
また、本発明の版材焼付装置は、前記エア供給手段として、前記搬送手段にエアノズルを含むことができる。
【手続補正７】
【補正対象書類名】明細書
【補正対象項目名】００５１
【補正方法】変更
【補正の内容】
【００５１】
ソレノイドバルブ２７０Ａは、吸着溝２０２に接続されている真空エジェクタ２７２にエアを供給し、ソレノイドバルブ２７０Ｂは、吸着溝２０４Ａ、２０４Ｂに接続されている真空エジェクタ２７２へエア供給する。
【手続補正８】
【補正対象書類名】明細書
【補正対象項目名】０１００
【補正方法】変更
【補正の内容】
【０１００】
【発明の効果】
以上説明したように本発明の印刷版搬送装置は、印刷版の片持ち状態で搬送するときに、エア供給手段が印刷版の下面側にエアを供給する。また、本発明の版材焼付装置では、定盤上を印刷版が片持ち状態で搬送されるときに、搬送補助手段が印刷版と定盤の間にエアを供給する。
【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
プリンタにおける経路に沿って往復駆動されるプリント・カートリッジ運び台の移動を制御するための割り出し調整装置であって;
前記経路に隣接且つ平行して移動するよう滑動可能に取り付けられた基体部材と;
前記基体部材に取り付けられ、前記プリント・カートリッジ運び台に当接するために前記経路内に突出し、且つそれにより前記経路に沿った第１の方向における前記プリント・カートリッジ運び台の移動を制限する第１の当接部材とを具備した割り出し調整装置。
【請求項２】
前記基体部材に取り付けられ、前記プリント・カートリッジ運び台に当接するために前記経路内に突出し、且つそれにより前記経路に沿った第２の方向における前記プリント・カートリッジ運び台の移動を制限する第２の当接部材を更に具備して成る請求項１に記載の割出し調整装置。
【請求項３】
プリンタにおける経路に沿ってプリント・カートリッジ運び台の移動を制御するための方法であって、
前記プリント・カートリッジ運び台に隣接する印刷媒体上にインクを印刷するよう制御可能なプリント・カートリッジを前記プリント・カートリッジ運び台に設けるステップと、
前記プリント・カートリッジ運び台が静止中に、割り出し調整装置を前記経路における第１の位置に前進させるステップと、
前記割り出し調整装置が前記第１の位置にあるときに、前記プリント・カートリッジ運び台を移動させて前記割り出し調整装置に当接させるステップと、
前記割り出し調整装置を第２の位置に前進させるステップと、
前記割り出し調整装置が前記第２の位置にあるときに、前記プリント・カートリッジ運び台を移動させて前記割り出し調整装置に当接させるステップと、
前記割り出し調整装置の前進中に前記プリント・カートリッジから印刷するステップと、
を備えるプリント・カートリッジ運び台の移動を制御するための方法。
【請求項４】
前記プリント・カートリッジ運び台の移動中に前記印刷媒体上への前記インクの印刷を休止することを特徴とする請求項３に記載の運び台の移動を制御するための方法。
【請求項５】
前記プリンタを介して前記印刷媒体を前記プリント・カートリッジ運び台に対して第１の方向に指し向けるステップと、前記プリント・カートリッジ運び台を前記第１の方向に略直交する方向に移動させて前記割り出し調整装置に当接させることを特徴とする請求項３に記載の運び台の移動を制御するための方法。
【請求項６】
プリント・カートリッジ運び台に隣接するようにプリンタを介して指向される印刷媒体上に該プリント・カートリッジ運び台で運ばれるプリント・カートリッジからインクを印刷する印刷方法であって、
前記印刷媒体がその先端部と後端部との間に印刷可能な表面を有し、
前記先端部が前記後端部から間隙により間隔を置かれるように、前記印刷媒体を前記プリンタを介して指向させるステップと、
前記印刷可能な表面と前記間隙が交互に前記プリント・カートリッジに隣接するように、前記印刷媒体を繰り返し指向させて前記プリント・カートリッジに隣接させるステップと、
前記印刷可能な表面が前記プリント・カートリッジに隣接し、且つ前記プリント・カートリッジ運び台が前記印刷媒体に対して第１の印刷位置にある間に、前記プリント・カートリッジから印刷するステップと、
前記間隙が前記プリント・カートリッジに隣接している間に前記プリント・カートリッジ運び台を割り出し調整部材に対し移動させ、前記プリント・カートリッジ運び台を前記印刷媒体に対して第２の印刷位置に移動させるステップと
を含む印刷方法。
【請求項７】
前記印刷可能な表面が前記プリント・カートリッジに隣接している間に前記割り出し調整部材を第１の位置から第２の位置に前進させることを特徴とする請求項６に記載の印刷方法。
【請求項８】
前記印刷可能な表面が前記プリント・カートリッジに隣接するよう繰り返し指向され、且つ前記間隙が前記印刷媒体の前記先端部と前記後端部との距離よりも小さくなるように、前記プリンタにおいて前記印刷媒体を回転させることを特徴とする請求項６に記載の印刷方法。
【請求項９】
プリント・カートリッジ運び台と割り出し調整装置の組立体であって、
プリンタ内の経路に沿って制御された往復移動のために取り付けられたプリント・カートリッジ運び台と、
前記プリント・カートリッジ運び台の近くで前記プリンタに取り付けられ、該プリント・カートリッジ運び台に対して移動可能であり、前記プリント・カートリッジ運び台の前記経路内に突出し該経路に沿う前記プリント・カートリッジ運び台の移動を制限する第１の当接部材を具備する、割り出し調整装置と、
先端部と後端部との間に印刷可能な表面を有する印刷媒体を前記プリント・カートリッジ運び台の前記経路に隣接するように前記プリンタを介して指向させる移送手段と、
前記先端部が前記後端部から間隙によって間隔を置かれるように前記プリンタにおいて前記印刷媒体を保持し、且つ前記印刷可能な表面と前記間隙が前記プリント・カートリッジ運び台に交互に隣接するように前記印刷媒体を前記プリント・カートリッジ運び台に隣接するように繰り返し指向させるための処理手段とを具備して成る
プリント・カートリッジ運び台と割り出し調整装置の組立体。
【請求項１０】
前記プリント・カートリッジ運び台の前記経路が、前記印刷媒体シートが前記プリンタを介して指向される印刷媒体供給方向に略直交する方向に向けられ、更に前記割り出し調整装置が前記プリント・カートリッジ運び台の前記経路に略平行する割り出し調整装置経路に沿って逐次移動可能であり、したがって、前記第１の当接部材が前記プリント・カートリッジ運び台の前記経路に沿う逐次移動を制御するように位置決め可能であることを特徴とする請求項９に記載のプリント・カートリッジ運び台と割り出し調整装置の組立体。
【手続補正２】
【補正対象書類名】明細書
【補正対象項目名】００６９
【補正方法】変更
【補正の内容】
【００６９】
18) 上記14) のプリンタ運び台と割り出し調整装置の組立体であって、更に、その先端部33と後端部35との間に印刷可能な表面を有する前記印刷媒体32を前記プリント・カートリッジ運び台62の前記経路に隣接するように前記プリンタを介して指向させる移送手段20と; 前記先端部33が前記後端部35から間隙150 によって間隔を置かれるように前記プリンタにおいて前記印刷媒体32を保持し、且つ前記印刷可能な表面と前記間隙150 が前記プリント・カートリッジ運び台62に交互に隣接するように前記印刷媒体32を前記プリント・カートリッジ運び台62に隣接するように繰り返し指向させるための処理手段20, 34とを具備して成ることを特徴とするプリンタ運び台と割り出し調整装置の組立体。
【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
通過する液体又は液滴の近傍に配置され、当該液体又は液滴から放出される放射波を検知する放射波検知手段と、
前記放射波検知手段の出力値の変化を検出する検出手段とを有し、
前記通過する液体又は液滴に非接触で前記液体又は液滴の通過の有無を検知することを特徴とする液検知装置。
【請求項２】
前記放射波は赤外線であり、前記検出手段は赤外線センサを含むことを特徴とする請求項１に記載の液検知装置。
【請求項３】
更に、前記検出手段により検出される出力値の変化量を測定する測定手段を有し、前記通過する液体又は液滴に非接触で前記液体又は液滴の通過量を検知することを特徴とする請求項１又は２に記載の液検知装置。
【請求項４】
前記測定手段は、前記出力値を積分して前記出力値の変化量を測定することを特徴とする請求項３に記載の液検知装置。
【請求項５】
所定パターンに従って液を送出するための液送出手段と、
前記検出手段によって検出された出力値の変化が示すパターンと、前記液を送出する所定パターンとの一致状態を判定する判定手段とを更に有することを特徴とする請求項１に記載の液検知装置。
【請求項６】
前記判定手段は、前記所定パターンに従って液を送出するタイミングと、前記検出手段によって検出された出力値の変化が示すタイミングとの一致状態を判定することを特徴とする請求項５に記載の液検知装置。
【請求項７】
前記判定手段は、前記所定パターンに従って液を送出する周期と、前記検出手段によって検出された出力値の変化が示す周期との一致状態を判定することを特徴とする請求項５に記載の液検知装置。
【請求項８】
前記判定手段は、前記所定パターンに従って液を送出する回数と、前記検出手段によって検出された出力値の変化が示す回数との一致状態を判定することを特徴とする請求項５に記載の液検知装置。
【請求項９】
前記検出手段の出力変化の時定数に応じた周期で液を送出する液送出手段を更に有し、前記測定手段は前記放射波検知手段及び前記検出手段の出力値を積分して前記出力値の変化量を測定することを特徴とする請求項３に記載の液検知装置。
【請求項１０】
前記液体又は液滴を、前記放射波検知手段による検知に先立って加熱するための加熱手段を更に有することを特徴とする請求項１乃至９のいずれか１項に記載の液検知装置。
【請求項１１】
通過する液体又は液滴の近傍に、当該液体又は液滴から放出される放射波を検知するセンサを配し、
前記センサの出力値の変化を検出することにより、前記通過する液体又は液滴に非接触で前記液体又は液滴の通過の有無を検知することを特徴とする液検知方法。
【請求項１２】
所定パターンに従って液を送出するための液送出工程と、
検出された出力値の変化が示すパターンと、前記液を送出する所定パターンとの一致状態を判定する判定工程とを更に有することを特徴とする請求項１１に記載の液検知方法。
【請求項１３】
前記液体又は液滴を、前記センサによる検知に先立って加熱するための加熱工程を更に有することを特徴とする請求項１１又は１２に記載の液検知方法。
【請求項１４】
インクジェットヘッドから記録媒体上にインクを吐出して画像を記録するインクジェット記録装置であって、
前記インクジェットヘッドから吐出されたインク滴から放出される放射波を検知する放射波検知手段と、
前記放射波検知手段の出力値の変化を検出する検出手段とを有し、
前記インクに非接触で前記インクの通過の有無を検知することを特徴とするインクジェット記録装置。
【請求項１５】
所定パターンに従って液を送出するための液送出手段と、
前記検出手段によって検出された出力値の変化が示すパターンと、前記液を送出する所定パターンとの一致状態を判定する判定手段とを更に有することを特徴とする請求項１４に記載のインクジェット記録装置。
【請求項１６】
インクジェットヘッドから記録媒体上にインクを吐出して画像を記録するインクジェット記録装置におけるインク検出方法であって、
前記インクジェットヘッドから吐出されたインク滴から放出される放射波を検知する放射波検知工程と、
前記放射波検知工程で検知された出力値の変化を検出する検出工程とを有し、
前記インクに非接触で前記インクの通過の有無を検知することを特徴とするインクジェット記録装置におけるインク検出方法。
【請求項１７】
更に、前記検出工程で検出される出力値の変化量を測定する測定工程を有し、前記インクに非接触で前記インクの通過量を検知することを特徴とする請求項１６に記載のインク検出方法。
【請求項１８】
所定のタイミングでインクを吐出駆動する駆動工程と、
前記検出工程で検出された出力値の変化が前記所定のタイミングと一致しているか否かを判断するための判別工程とを更に有することを特徴とする請求項１６に記載のインク検出方法。
【手続補正書】
【提出日】平成17年8月10日(2005.8.10)
【手続補正１】
【補正対象書類名】明細書
【補正対象項目名】０００２
【補正方法】変更
【補正の内容】
【０００２】
【従来の技術】
熱可塑性液晶ポリマーは、機械的強度、電気的性質、耐熱性、耐薬品性、寸法安定性などに優れた性能を示す。従って、特に電子分野において、絶縁材料、プリント基板材料、積層材料などとして注目され、その他の分野でも、耐熱性が要求される用途、例えば耐熱積層材料などの用途が期待されている。
【手続補正書】
【提出日】平成17年7月20日(2005.7.20)
【手続補正１】
【補正対象書類名】明細書
【補正対象項目名】請求項１
【補正方法】変更
【補正の内容】
【請求項１】
電気機器の包装装置等を構成する発泡材等からなる緩衝材において、
一方の面に穴部を設けると共に、相対する他方の面であって底部と間口からなる前記穴部に相対する位置に前記穴部とほぼ同形状の先部と基部とからなる突設部を設け、を設け、該突設部の先端径を前記穴部の間口部の径より小さくすると共に、前記突設部の基部の径を前記穴部の間口部の径より大きく形成し、突設部と穴部が圧入嵌合するようにしたことを特徴とする包装装置等の緩衝材。
【手続補正２】
【補正対象書類名】明細書
【補正対象項目名】０００６
【補正方法】変更
【補正の内容】
【０００６】
【課題を解決するための手段】
本発明は、電気機器の包装装置等を構成する発泡材等からなる緩衝材であって、一方の面に穴部を設けると共に、相対する他方の面であって底部と間口からなる穴部に相対する位置に穴部とほぼ同形状の先部と基部とからなる突設部を設け、突設部の先端径を穴部の間口部の径より小さくすると共に、突設部の基部の径を穴部の間口部の径より大きく形成し、突設部と穴部が圧入嵌合するようにしたものである。
また、一方の面に上記の緩衝材の突設部が係合する穴部を設けたものである。
さらに、穴部及び突設部の形状を、ほぼ円錐台形状、又はほぼ多角錐形としたものである。
【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
画像とともに該画像の印刷情報が記録された記録媒体から該印刷情報を読み取って前記画像を印刷する印刷装置において、
前記印刷情報が記録された前記記録媒体に前記画像の印刷回数が格納される印刷回数格納部を設けておき、
前記印刷回数格納部に格納された印刷回数に基づいて前記画像の印刷を制御する制御手段を備えたことを特徴とする印刷装置。
【請求項２】
前記印刷情報にしたがって印刷された画像の印刷回数を計数する計数手段と、
該計数された印刷回数を用いて前記印刷回数格納部に格納された印刷回数を更新する更新手段とを備えたことを特徴とする請求項１記載の印刷装置。
【請求項３】
正常に印刷されたか否かを判定する印刷判定手段を備え、
正常に印刷されたと判定された場合、前記計数手段は前記印刷回数を計数することを特徴とする請求項１記載の印刷装置。
【請求項４】
前記制御手段は、印刷されていない画像だけを印刷することを特徴とする請求項１記載の印刷装置。
【請求項５】
前記記録媒体は、前記印刷装置からの印刷結果にしたがって印刷された画像の印刷回数を計数する計数手段と、
該計数された印刷回数を用いて前記印刷回数格納部に格納された印刷回数を更新する更新手段とを備えたことを特徴とする請求項１記載の印刷装置。
【請求項６】
画像とともに該画像の印刷情報が記録された記録媒体から該印刷情報を読み取って前記画像を印刷する印刷方法において、
前記印刷情報が記録された前記記録媒体に前記画像の印刷回数が格納される印刷回数格納部を設けておき、
前記印刷情報にしたがって印刷された画像の印刷回数を計数する工程と、
該計数された印刷回数を用いて前記印刷回数格納部に格納された印刷回数を更新する工程と、
前記印刷回数格納部に格納された印刷回数に基づいて前記画像の印刷を制御する工程とを有することを特徴とする印刷方法。
【請求項７】
コンピュータによって実行され、画像とともに該画像の印刷情報が記録された記録媒体から該印刷情報を読み取って前記画像を印刷するプログラムが格納された記憶媒体において、
前記印刷情報が記録された前記記録媒体に前記画像の印刷回数が格納される印刷回数格納部を設けておき、
前記プログラムは、
前記印刷情報にしたがって印刷された画像の印刷回数を計数する手順と、
該計数された印刷回数を用いて前記印刷回数格納部に格納された印刷回数を更新する手順と、
前記印刷回数格納部に格納された印刷回数に基づいて前記画像の印刷を制御する手順とを含むことを特徴とする記憶媒体。
【手続補正２】
【補正対象書類名】明細書
【補正対象項目名】００１１
【補正方法】変更
【補正の内容】
【００１１】
【課題を解決するための手段】
上記目的を達成するために、本発明の請求項１に記載の印刷装置は、画像とともに該画像の印刷情報が記録された記録媒体から該印刷情報を読み取って前記画像を印刷する印刷装置において、前記印刷情報が記録された前記記録媒体に前記画像の印刷回数が格納される印刷回数格納部を設けておき、前記印刷回数格納部に格納された印刷回数に基づいて前記画像の印刷を制御する制御手段を備えたことを特徴とする。
【手続補正３】
【補正対象書類名】明細書
【補正対象項目名】００１６
【補正方法】変更
【補正の内容】
【００１６】
請求項６に記載の印刷方法は、画像とともに該画像の印刷情報が記録された記録媒体から該印刷情報を読み取って前記画像を印刷する印刷方法において、前記印刷情報が記録された前記記録媒体に前記画像の印刷回数が格納される印刷回数格納部を設けておき、前記印刷情報にしたがって印刷された画像の印刷回数を計数する工程と、該計数された印刷回数を用いて前記印刷回数格納部に格納された印刷回数を更新する工程と、前記印刷回数格納部に格納された印刷回数に基づいて前記画像の印刷を制御する工程とを有することを特徴とする。
【手続補正４】
【補正対象書類名】明細書
【補正対象項目名】００１７
【補正方法】変更
【補正の内容】
【００１７】
請求項７に記載の記憶媒体は、コンピュータによって実行され、画像とともに該画像の印刷情報が記録された記録媒体から該印刷情報を読み取って前記画像を印刷するプログラムが格納された記憶媒体において、前記印刷情報が記録された前記記録媒体に前記画像の印刷回数が格納される印刷回数格納部を設けておき、前記プログラムは、前記印刷情報にしたがって印刷された画像の印刷回数を計数する手順と、該計数された印刷回数を用いて前記印刷回数格納部に格納された印刷回数を更新する手順と、前記印刷回数格納部に格納された印刷回数に基づいて前記画像の印刷を制御する手順とを含むことを特徴とする。
【手続補正５】
【補正対象書類名】明細書
【補正対象項目名】００５２
【補正方法】変更
【補正の内容】
【００５２】
【発明の効果】
本発明によれば、メモリカードの印刷回数格納部に、印刷対象の各画像の印刷回数が格納されているので、印刷装置で今まで印刷していない画像だけを印刷するといった印刷回数に基づいた制御を行うことができ、印刷情報の適切な運用を図ることができ、操作性を向上できる。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
射出成形機を構成している型締め装置及び射出装置において潤滑剤の補給が必要となる可動部に、潤滑剤を含有した潤滑剤含有ポリマを成形してなる潤滑剤供給部材を該可動部の摺動面に当接させて付設したことを特徴とする射出成形機。
【請求項２】
潤滑剤含有ポリマを形成する樹脂が、平均分子量７００〜５×１０4のワックスに分類される成分、平均分子量１×１０4〜１×１０6の低分子量の成分及び平均分子量１×１０6〜５×１０6の超高分子量の成分の少なくとも１つを含有することを特徴とする請求項１記載の射出成形機。
【請求項３】
潤滑剤含有ポリマを形成する樹脂が、熱可塑性樹脂及び熱硬化性樹脂の少なくとも１つを含有することを特徴とする請求項１または２記載の射出成形機。
【手続補正書】
【提出日】平成17年8月19日(2005.8.19)
【手続補正１】
【補正対象書類名】明細書
【補正対象項目名】発明の名称
【補正方法】変更
【補正の内容】
【発明の名称】入力装置、及び入力方法
【手続補正２】
【補正対象書類名】明細書
【補正対象項目名】特許請求の範囲
【補正方法】変更
【補正の内容】
【特許請求の範囲】
【請求項１】
所要の操作用画像を表示することができる表示手段と、
少なくとも、前記表示手段に表示されている操作用画像に対する選択／決定操作を行うことができる操作手段と、
文字データが記憶された記憶手段と、
前記表示手段に対する表示制御、及び前記操作手段の操作に伴う入力処理を実行することができる制御手段とを備え、
前記制御手段は、前記表示手段に対する表示制御として、
前記記憶手段に記憶されている文字データを所定の規則に従ってグループ化したうえで、そのグループの代表文字からなる代表文字画像を第１の操作用画像として表示させる第１の表示制御と、
前記第１の操作用画像として表示されている前記代表文字画像の内、前記操作手段により一つの代表文字画像が選択決定された際に、その選択決定された代表文字のグループに属する文字の文字画像を第２の操作用画像として表示させる第２の表示制御と、
前記第２の操作用画像として表示されている文字画像の内、前記操作手段により一つの文字画像が選択決定された際に、その選択決定された文字を入力文字画像として表示させる第３の表示制御と、
が実行可能とされることを特徴とする入力装置。
【請求項２】
所要の操作用画像を表示することができる表示手段と、少なくとも、前記表示手段に表示されている操作用画像に対する選択／決定操作を行うことができる操作手段と、文字データが記憶された記憶手段と、前記表示手段に対する表示制御、及び前記操作手段の操作に伴う入力処理を実行することができる制御手段とを備えた入力装置における入力方法において、
前記記憶手段に記憶されている文字データを所定の規則に従ってグループ化したうえで、そのグループの代表文字からなる代表文字画像を第１の操作用画像として表示させる第１の表示ステップと、
前記第１の操作用画像として表示されている前記代表文字画像の内、前記操作手段により一つの代表文字画像が選択決定された際に、その選択決定された代表文字のグループに属する文字の文字画像を第２の操作用画像として表示させる第２の表示ステップと、
前記第２の操作用画像として表示されている文字画像の内、前記操作手段により一つの文字画像が選択決定された際に、その選択決定された文字を入力文字画像として表示させる第３の表示ステップとを
実行可能とすることを特徴とする入力方法。
【手続補正３】
【補正対象書類名】明細書
【補正対象項目名】０００１
【補正方法】変更
【補正の内容】
【０００１】
【発明の属する技術分野】
本発明は各種電子機器の入力装置に関わり、特にオーディオ機器等の入力装置、及び入力方法として好適なものである。
【手続補正４】
【補正対象書類名】明細書
【補正対象項目名】０００４
【補正方法】変更
【補正の内容】
【０００４】
上記したような文字情報の入力手段としては、例えば機器本体に設けられている操作キーや操作つまみ、ジョグダイヤルと呼ばれる回動プッシュ式のキー等の操作子、或いはリモートコマンドの操作子が用いられている。
例えば、ジョグダイヤルやリモートコマンダ等を入力手段として文字情報の入力を行う場合、ユーザがジョグダイヤルやリモートコマンダの操作子等の操作を行いながら、機器本体の表示部に所望の文字を一字ずつ表示させて文字入力を行っていた。
しかしながら、この場合は目的の文字を検索する際も、表示部に一文字ずつ表示させながら検索を行うことになるので、その操作性といった点ではやや難があるといわざるおえない。
【手続補正５】
【補正対象書類名】明細書
【補正対象項目名】００２１
【補正方法】変更
【補正の内容】
【００２１】
ＲＯＭ６には、例えば英字やひらがな等の文字データや、表示部７に表示させる操作用画像のウインドウデータ等が格納されている。
本例の場合、ＲＯＭ６に格納されている文字データは、例えば大文字のアルファベットとひらがな文字とする。そして、それらの文字データの格納形態としては、大文字のアルファベットの文字データをアルファベット順に並べ、続いてひらがなの文字データを五十音順に並べて格納するようにしている。即ち、文字データは「ＡＢＣ・・・ＸＹＺあいうえお・・・わいうえをん）順でＲＯＭ６に格納されている。
また、文字データはＡＳＣＩＩ形式で格納されている。
【手続補正６】
【補正対象書類名】明細書
【補正対象項目名】００２９
【補正方法】変更
【補正の内容】
【００２９】
即ち、文字選択領域１１には、ＲＯＭ６に格納されている文字データを、それぞれアルファベット及びひらがなの各先頭の文字データから５文字ずつのグループを作成した時に、各グループの先頭となるアルファベットの文字と、ひらがなの文字が代表文字画像としてマトリクス状に表示されている。
また、文字選択領域１１には、文字画像の単位で移動可能なカーソル１１ａが表示される。
【手続補正７】
【補正対象書類名】明細書
【補正対象項目名】００３０
【補正方法】変更
【補正の内容】
【００３０】
なお、本実施の形態ではＲＯＭ６に格納されている文字データを先頭から５文字ずつグループ化する場合を例に挙げるがこれはあくまでも一例であり、このようグループ形態に限定されるものでない。
また、その代表文字画像も各グループの先頭に位置する文字である必要は必ずしもない。
【手続補正８】
【補正対象書類名】明細書
【補正対象項目名】００３６
【補正方法】変更
【補正の内容】
【００３６】
この場合、ＣＰＵ５は操作部８からの操作情報、即ち入力文字選択領域１３の「く」の表示画像が選択決定されたという操作情報に基づいて、ＲＯＭ６から「く」に対応する文字データを読み出し、この文字データを入力文字領域１２に表示させるような表示制御を実行する。
またこの場合、ＣＰＵ５はＲＯＭ６から読み出した「く」に対応する文字データを例えばＣＰＵ５内のメモリに入力決定された文字データ（付加データ）として保持するようにされる。